(57)【要約】端末（１０２−１〜１０２−２）と通信を行っており、使用される周波数を複数の周波数ブロックに分割し、分割された周波数ブロックを端末（１０２−１〜１０２−２）に割り当てる基地局（１００−１〜１００−３）にて、端末（１０２−１〜１０２−２）が存在する位置が判断され、端末（１０２−１〜１０２−２）がセル（１０１−１〜１０１−３）の端に存在すると判断された場合、割り当てられた周波数ブロックがセル（１０１−１〜１０１−３）の端にて動的に割り当てられるセル端用周波数ブロックとされる。また、セル端用周波数ブロックが他の端末に既に割り当てられている場合は、端末（１０２−１〜１０２−２）に対してそのセル端用周波数ブロックが割り当てられる。
2007097076.tif 000002
【特許請求の範囲】
【請求項１】
端末と、該端末と通信を行う複数の隣接する基地局とを有し、前記基地局は、該基地局にて使用される周波数を複数の周波数ブロックに分割し、分割された前記周波数ブロックを前記端末に割り当てる移動通信システムにおいて、
前記基地局は、前記端末が存在する位置を判断し、前記端末が、前記基地局がカバーするセルの端に存在すると判断された場合、割り当てられた前記周波数ブロックを前記セルの端にて動的に割り当てられるセル端用周波数ブロックとすることを特徴とする移動通信システム。
【請求項２】
請求項１に記載の移動通信システムにおいて、
前記基地局は、前記端末との間における伝播遅延時間を測定し、測定された前記伝播遅延時間に基づいて前記端末が存在する位置を判断することを特徴とする移動通信システム。
【請求項３】
請求項１または請求項２に記載の移動通信システムにおいて、
前記基地局は、前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする移動通信システム。
【請求項４】
請求項１に記載の移動通信システムにおいて、
前記基地局は、
前記端末が存在する位置を判断する位置判断手段と、
前記位置判断手段にて前記端末が前記セルの端に存在すると判断された場合、割り当てられた前記周波数ブロックを前記セルの端にて動的に割り当てられるセル端用周波数ブロックとする周波数ブロック割り当て手段とを有することを特徴とする移動通信システム。
【請求項５】
請求項４に記載の移動通信システムにおいて、
前記基地局は、
前記端末との間における伝播遅延時間を測定する伝播遅延測定手段を有し、
前記位置判断手段は、前記伝播遅延測定手段にて測定された前記伝播遅延時間に基づいて前記端末が存在する位置を判断することを特徴とする移動通信システム。
【請求項６】
請求項４または請求項５に記載の移動通信システムにおいて、
前記周波数ブロック割り当て手段は、前記位置判断手段にて前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする移動通信システム。
【請求項７】
端末と通信を行い、使用される周波数を複数の周波数ブロックに分割し、分割された前記周波数ブロックを前記端末に割り当てる基地局であって、
前記端末が存在する位置を判断し、前記端末が、前記基地局がカバーするセルの端に存在すると判断された場合、割り当てられた前記周波数ブロックを前記セルの端にて動的に割り当てられるセル端用周波数ブロックとする基地局。
【請求項８】
請求項７に記載の基地局において、
前記端末との間における伝播遅延時間を測定し、測定された前記伝播遅延時間に基づいて前記端末が存在する位置を判断することを特徴とする基地局。
【請求項９】
請求項７または請求項８に記載の基地局において、
前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする基地局。
【請求項１０】
請求項７に記載の基地局において、
前記端末が存在する位置を判断する位置判断手段と、
前記位置判断手段にて前記端末が前記セルの端に存在すると判断された場合、割り当てられた前記周波数ブロックを前記セルの端にて動的に割り当てられるセル端用周波数ブロックとする周波数ブロック割り当て手段とを有することを特徴とする基地局。
【請求項１１】
請求項１０に記載の基地局において、
前記端末との間における伝播遅延時間を測定する伝播遅延測定手段を有し、
前記位置判断手段は、前記伝播遅延測定手段にて測定された前記伝播遅延時間に基づいて前記端末が存在する位置を判断することを特徴とする基地局。
【請求項１２】
請求項１０または請求項１１に記載の基地局において、
前記周波数ブロック割り当て手段は、前記位置判断手段にて前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする基地局。
【請求項１３】
端末と、該端末と通信を行う複数の隣接する基地局とを有する移動通信システムにおけるセル間干渉軽減方法であって、
前記基地局が、前記基地局にて使用される周波数を複数の周波数ブロックに分割する処理と、
前記基地局が、前記端末が存在する位置を判断する処理と、
前記基地局が、分割された前記周波数ブロックを前記端末に割り当てる処理と、
前記基地局が、前記端末が存在する位置が、前記基地局がカバーするセルの端であると判断された場合、割り当てられた前記周波数ブロックを前記セルの端にて動的に割り当てられるセル端用周波数ブロックとする処理とを有するセル間干渉軽減方法。
【請求項１４】
請求項１３に記載のセル間干渉軽減方法において、
前記基地局が、前記端末との間における伝播遅延時間を測定する処理と、
前記基地局が、測定された前記伝播遅延時間に基づいて前記端末が存在する位置を判断する処理とを有することを特徴とするセル間干渉軽減方法。
【請求項１５】
請求項１３または請求項１４に記載のセル間干渉軽減方法において、
前記基地局が、前記端末が前記セルの端に存在すると判断された際に、すでに他の端末に前記セル端用周波数ブロックが割り当てられている場合、前記他の端末に割り当てられているセル端用周波数ブロックを当該端末に対して割り当てる処理を有することを特徴とするセル間干渉軽減方法。
【発明の詳細な説明】
【技術分野】
【０００１】
本発明は、隣接するセル間における電波の干渉を軽減するための移動通信システム、基地局及びセル間干渉軽減方法に関する。
【背景技術】
【０００２】
従来より、基地局がカバーするエリアであるセルにおいては、１つのセルについて同一の広帯域の周波数帯域が使用され、それがセル内でいくつかの周波数ブロックに分割されている。そして、分割された周波数ブロックを用いて当該セル内に存在する端末と基地局との間において通信が行われている。その周波数ブロックの端末への割り当てについては、基地局によって、端末から送信されたPilot信号により伝播状況が測定され、伝播状況の良い周波数ブロックが端末に割り当てられて通信が行われている。【０００３】
また、同一周波数ブロック内に存在する複数の端末からのデータが送信されるタイミングがお互いに重ならないように、基地局には、伝播状況の良い端末からデータが送信されるように制御するスケジューラが設けられている。そして、各周波数ブロックにおいて、時分割でそれぞれの端末が当該周波数ブロックの周波数を使用する時間が決定、つまり送信タイミングがスケジューリングされる。【０００４】
図１は、従来の基地局に設けられたスケジューラによって行われる送信タイミングの制御方法を説明するための図である。【０００５】
図１には、セル内で使用される周波数帯域が、ｆ０〜ｆ４の５つの周波数ブロックに分割されており、そのセル内に端末０〜端末７の８台の端末が存在している場合が例に挙げられている。そして、端末０及び端末５がｆ０の周波数ブロックに割り当てられている。また、端末１がｆ１の周波数ブロックに割り当てられている。また、端末２及び端末３がｆ２の周波数ブロックに割り当てられている。また、端末４及び端末７がｆ３の周波数ブロックに割り当てられている。また、端末６がｆ４の周波数ブロックにそれぞれ割り当てられている。その各周波数ブロックの中で、各端末が周波数を使用する時間が時分割で割り当てられる。例えば、ｆ０の周波数ブロックにおいては、ｔ０の時間にて端末０によってｆ０の周波数が使用される。また、ｔ１の時間にて端末５によってｆ０の周波数が使用される。また、ｔ３の時間にて端末０によってｆ０の周波数が使用される。【０００６】
また、近年、移動通信システムにおいて、端末がセルの端に存在する場合、当該端末から送信される電波は、そのセルに隣接するセルをカバーする基地局にとって干渉電波となり、隣接するセルをカバーする基地局とそのセル内に存在する端末との間の通信品質が劣化してしまう。【０００７】
図２は、従来の移動通信システムの一形態を示す図である。【０００８】
図２に示した移動通信システムには、基地局９００−１〜９００−３と、セル９０１−１〜９０１−３と、端末９０２−１〜９０２−２とが設けられている。【０００９】
セル９０１−１〜９０１−３は、基地局９００−１〜９００−３がそれぞれカバーするエリアである。端末９０２−１は、セル９０１−１内に存在して基地局９００−１と通信を行っており、セル９０１−３に近づく方向に移動している。端末９０２−２は、セル９０１−３内に存在して基地局９００−３と通信を行っている。【００１０】
ここで、端末９０２−１と基地局９００−１との間における通信で使用している周波数ブロックと、端末９０２−２と基地局９００−３との間における通信で使用している周波数ブロックとが同じ周波数ブロックである場合、端末９０２−１の送信タイミングをスケジューリングする基地局９００−１と端末９０２−２の送信タイミングをスケジューリングする基地局９００−３とは互いに独立である。そのため、それぞれの端末からデータを送信する送信タイミングが重なる可能性がある。これにより、端末９０２−１がセル９０１−１とセル９０１−３との境界付近に移動した場合、端末９０２−１が送信する信号は、基地局９００−３にとっては干渉信号となり、基地局９００−３と端末９０２−２との間の通信品質を劣化させる要因となってしまう。【００１１】
そこで、その干渉を軽減する方法として、セルの境界付近では、特定の周波数を使用する方法が考えられている。【００１２】
図３は、セルの境界付近にて特定の周波数を使用する方法を説明するための図である。【００１３】
図３に示すように、セル９０１−１においては、セル９０１−１の端である斜線部分にて使用できる周波数をｆ１のみとし、それ以外の部分（円の内部）にて使用できる周波数をｆ２、ｆ３以外とする。また、セル９０１−２においては、セル９０１−２の端である斜線部分にて使用できる周波数をｆ２のみとし、それ以外の部分（円の内部）にて使用できる周波数をｆ１、ｆ３以外とする。また、セル９０１−３においては、セル９０１−３の端である斜線部分にて使用できる周波数をｆ３のみとし、それ以外の部分（円の内部）にて使用できる周波数をｆ１、ｆ２以外とする。このように、セルの境界付近にいる端末とその内側にいる端末とで使用する周波数帯域を固定的に分け、隣接セル間で重複しないように使用する方法が考えられている。このとき、図１に示したように、複数の周波数ブロックに分割し、それぞれの周波数ブロックに属する端末を、図３に示したように当該端末がセルの境界に存在するか等の位置に基づいて割り当てる方法が考えられている（例えば、特許公表２００３−５１７８０２号公報参照。）。【００１４】
また、割り当てられた周波数パターンにおいて、セル間の干渉を軽減するために、送信電力を制限する方法が考えられている（例えば、特許公開２００５−３２８５１９号公報参照。）。【００１５】
しかしながら、特許公表２００３−５１７８０２号公報に記載された方法においては、端末がセルの境界に存在する場合に使用される周波数が固定的に割り当てられる。そのため、セルの境界以外の場所においては当該周波数が常に使用できなくなり、周波数利用効率が悪くなってしまうという問題点がある。【００１６】
また、特許公開２００５−３２８５１９号公報に記載された方法においては、端末からの送信電力を制限しなければならないという問題点がある。
【発明の開示】
【００１７】
本発明は、上述したような課題を解決するため、周波数を効率的に使用しながら容易にセル間の干渉を軽減することができる移動通信システム、基地局及びセル間干渉軽減方法を提供することを目的とする。
【００１８】
上記目的を達成するために本発明は、
端末と、該端末と通信を行う複数の隣接する基地局とを有し、前記基地局は、該基地局にて使用される周波数を複数の周波数ブロックに分割し、分割された前記周波数ブロックを前記端末に割り当てる移動通信システムにおいて、
前記基地局は、前記端末が存在する位置を判断し、前記端末が、前記基地局がカバーするセルの端に存在すると判断された場合、割り当てられた前記周波数ブロックを前記セルの端にて動的に割り当てられるセル端用周波数ブロックとすることを特徴とする。
【００１９】
また、前記基地局は、前記端末との間における伝播遅延時間を測定し、測定された前記伝播遅延時間に基づいて前記端末が存在する位置を判断することを特徴とする。
【００２０】
また、前記基地局は、前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする。
【００２１】
また、前記基地局は、
前記端末が存在する位置を判断する位置判断手段と、
前記位置判断手段にて前記端末が前記セルの端に存在すると判断された場合、割り当てられた前記周波数ブロックを前記セルの端にて動的に割り当てられるセル端用周波数ブロックとする周波数ブロック割り当て手段とを有することを特徴とする。
【００２２】
また、前記基地局は、
前記端末との間における伝播遅延時間を測定する伝播遅延測定手段を有し、
前記位置判断手段は、前記伝播遅延測定手段にて測定された前記伝播遅延時間に基づいて前記端末が存在する位置を判断することを特徴とする。
【００２３】
また、前記周波数ブロック割り当て手段は、前記位置判断手段にて前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする。
【００２４】
また、端末と通信を行い、使用される周波数を複数の周波数ブロックに分割し、分割された前記周波数ブロックを前記端末に割り当てる基地局であって、
前記端末が存在する位置を判断し、前記端末が、前記基地局がカバーするセルの端に存在すると判断された場合、割り当てられた前記周波数ブロックを前記セルの端にて動的に割り当てられるセル端用周波数ブロックとする。
【００２５】
また、前記端末との間における伝播遅延時間を測定し、測定された前記伝播遅延時間に基づいて前記端末が存在する位置を判断することを特徴とする。
【００２６】
また、前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする。
【００２７】
また、前記端末が存在する位置を判断する位置判断手段と、
前記位置判断手段にて前記端末が前記セルの端に存在すると判断された場合、割り当てられた前記周波数ブロックを前記セルの端にて動的に割り当てられるセル端用周波数ブロックとする周波数ブロック割り当て手段とを有することを特徴とする。
【００２８】
また、前記端末との間における伝播遅延時間を測定する伝播遅延測定手段を有し、
前記位置判断手段は、前記伝播遅延測定手段にて測定された前記伝播遅延時間に基づいて前記端末が存在する位置を判断することを特徴とする。
【００２９】
また、前記周波数ブロック割り当て手段は、前記位置判断手段にて前記端末が前記セルの端に存在すると判断された際に、すでに他の端末に前記セル端用周波数ブロックが割り当てられている場合、前記他の端末に割り当てられているセル端用周波数ブロックを当該端末に対して割り当てることを特徴とする。
【００３０】
また、端末と、該端末と通信を行う複数の隣接する基地局とを有する移動通信システムにおけるセル間干渉軽減方法であって、
前記基地局が、前記基地局にて使用される周波数を複数の周波数ブロックに分割する処理と、
前記基地局が、前記端末が存在する位置を判断する処理と、
前記基地局が、分割された前記周波数ブロックを前記端末に割り当てる処理と、
前記基地局が、前記端末が存在する位置が、前記基地局がカバーするセルの端であると判断された場合、割り当てられた前記周波数ブロックを前記セルの端にて動的に割り当てられるセル端用周波数ブロックとする処理とを有する。
【００３１】
また、前記基地局が、前記端末との間における伝播遅延時間を測定する処理と、
前記基地局が、測定された前記伝播遅延時間に基づいて前記端末が存在する位置を判断する処理とを有することを特徴とする。
【００３２】
また、前記基地局が、前記端末が前記セルの端に存在すると判断された際に、すでに他の端末に前記セル端用周波数ブロックが割り当てられている場合、前記他の端末に割り当てられているセル端用周波数ブロックを当該端末に対して割り当てる処理を有することを特徴とする。
【００３３】
上記のように構成された本発明においては、基地局にて使用される周波数が複数の周波数ブロックに分割され、分割された周波数ブロックが基地局と通信を行う端末に割り当てられ、当該端末が存在する位置が基地局にて判断され、その端末が存在する位置が、基地局がカバーするセルの端である場合、割り当てられた周波数ブロックがセルの端にて動的に割り当てられるセル端用周波数ブロックとされる。
【００３４】
このように、セル端用周波数ブロックが予め設定された周波数ブロックに固定されること無く、セル端に存在する端末によって使用されている周波数ブロックが可変的にセル端用周波数ブロックとして設定されるため、基地局にて使用される周波数帯域を有効に使用しながら、隣接するセル間における干渉を軽減することができる。
【００３５】
以上説明したように本発明においては、基地局にて使用される周波数を複数の周波数ブロックに分割し、分割された周波数ブロックを基地局と通信を行う端末に割り当て、当該端末が存在する位置を基地局にて判断し、その端末が存在する位置が、基地局がカバーするセルの端である場合、割り当てられた周波数ブロックをセルの端にて動的に割り当てられるセル端用周波数ブロックとする構成としたため、周波数を効率的に使用しながら容易にセル間の干渉を軽減することができる。
【図面の簡単な説明】
【００３６】
【図１】従来の基地局に設けられたスケジューラによって行われる送信タイミングの制御方法を説明するための図である。
【図２】従来の移動通信システムの一形態を示す図である。
【図３】セルの境界付近にて特定の周波数を使用する方法を説明するための図である。
【図４】本発明の移動通信システムの実施の一形態を示す図である。
【図５】図４に示した基地局の一構成例を示す図である。
【図６】図４に示した移動通信システム内の図５に示した基地局におけるセル間干渉軽減方法を説明するためのフローチャートである。
【図７】図６に示したフローチャートのステップ５〜９で説明した周波数ブロックの割り当て及び送信スケジューリングの処理の詳細を説明するための図である。
【図８】図４に示した移動通信システム内の図５に示した基地局における他のセル間干渉軽減方法を説明するためのフローチャートである。
【図９】図８に示したフローチャートのステップ２６〜３１で説明した周波数ブロックの割り当て及び送信スケジューリングの処理の詳細を説明するための図である。
【発明を実施するための最良の形態】
【００３７】
以下に、本発明の実施の形態について図面を参照して説明する。【００３８】
図４は、本発明の移動通信システムの実施の一形態を示す図である。【００３９】
本形態は図４に示すように、基地局１００−１〜１００−３と、端末１０２−１〜１０２−２とから構成されている。そして、端末１０２−１〜１０２−２と基地局１００−１〜１００−３との間にて通信が可能なエリアがそれぞれセル１０１−１〜１０１−３に設定されている。また、端末１０２−１がセル１０１−１内をセル１０１−３の方向へ向かって移動している。ここで、基地局１００−１〜１００−３の数は３つの形態で説明するが、本発明を実施するには、数は３つに限らない。また、端末１０２−１〜１０２−２の数は２つの形態で説明するが、本発明を実施するには、数は２つに限らない。【００４０】
図５は、図４に示した基地局１００−１の一構成例を示す図である。なお、図４に示した基地局１００−２〜１００−３についても、基地局１００−１と同様の構成である。【００４１】
図４に示した基地局１００−１には図５に示すように、送受信部２０１と、伝播遅延測定部２０２と、位置判断部２０３と、記憶部２０４と、周波数ブロック割り当て部２０５と、スケジューラ２０６とが設けられている。図５では、基地局１００−１の構成要素の中で、本発明に関する構成要素のみを示している。【００４２】
送受信部２０１は、基地局１００−１と端末１０２−１〜１０２−２との間においてデータの送受信を行う。伝播遅延測定部２０２は、基地局１００−１から端末１０２−１〜１０２−２へ送信される伝播遅延測定用信号が、送信されてから端末１０２−１〜１０２−２から戻ってきて受信されるまでの時間を伝播遅延時間として測定する。位置判断部２０３は、伝播遅延測定部２０２にて測定された伝播遅延時間に基づいて、端末１０２−１〜１０２−２が存在する位置を判断する。記憶部２０４は、位置判断部２０３にて判断された端末１０２−１〜１０２−２の位置を記憶する。周波数ブロック割り当て部２０５は、記憶部２０４に記憶された端末１０２−１〜１０２−２の位置に基づいて、伝播状況の良い周波数ブロックを端末１０２−１〜１０２−２に割り当てる。スケジューラ２０６は、周波数ブロックに割り当てられた端末１０２−１〜１０２−２から送信される上りデータの送信タイミングのスケジューリングを行う。【００４３】
以下に、図４に示した移動通信システム内の図５に示した基地局１００−１におけるセル間干渉軽減方法について説明する。【００４４】
図６は、図４に示した移動通信システム内の図５に示した基地局１００−１におけるセル間干渉軽減方法を説明するためのフローチャートである。ここでは、基地局１００−１が端末１０２−１に対して行うセル間干渉軽減方法を例に挙げて説明する。【００４５】
まず、基地局１００−１の送受信部２０１から端末１０２−１へ送信される伝播遅延測定用信号が、端末１０２−１から戻ってきて送受信部２０１にて受信される。すると、送受信部２０１から伝播遅延測定用信号が送信されてから受信されるまでの時間が、ステップ１にて伝播遅延測定部２０２において伝播遅延時間として測定される。ここで、伝播遅延時間の測定方法については、伝播遅延時間を測定するための伝播遅延測定用信号を用いて行うと述べたが、端末１０２−１から送信されるPilot信号等の相関計算によってセル１０１−１の中心から端末１０２−１までの距離を測定する方法であっても良い。また、ＧＰＳ等による位置情報に基づいて基地局１００−１から端末１０２−１までの距離を測定する方法であっても良く、本発明を実施するには特に限定しない。【００４６】
伝播遅延測定部２０２にて伝播遅延時間が測定されると、測定された伝播遅延時間に基づいて位置判断部２０３にて端末１０２−１が存在する位置がセル１０１−１の端であるかどうかがステップ２にて判断される。【００４７】
ステップ２にて端末１０２−１がセル１０１−１の端に存在すると判断された場合、ステップ３にて位置認識部２０３において端末１０２−１がセル端のユーザとして記憶部２０４に記憶される。【００４８】
その後、周波数ブロック割り当て部２０５によって、端末１０２−１以外にセル端のユーザが記憶されているかどうか、そして、そのユーザに対してセル端用周波数ブロックが割り当てられているかどうかがステップ４にて検索される。【００４９】
端末１０２−１以外のユーザにすでにセル端用周波数ブロックが割り当てられている場合、ステップ５にて周波数ブロック割り当て部２０５によって端末１０２−１に対しても当該セル端用周波数ブロックが割り当てられる。【００５０】
一方、ステップ４における検索の結果、端末１０２−１以外のユーザにすでにセル端用周波数ブロックが割り当てられていない場合、ステップ６にて周波数ブロック割り当て部２０５によって伝播状況の良い周波数ブロックが端末１０２−１に対して割り当てられる。【００５１】
そして、ステップ６にて端末１０２−１に割り当てられた周波数ブロックが動的に割り当てられるセル端用周波数ブロックとして、ステップ７にて周波数ブロック割り当て部２０５によって記憶部２０４に記憶される。つまり、記憶部２０４には、端末情報（端末固有の識別番号でよい）と当該端末が存在する位置情報（少なくともセル端にいるかどうかの情報）と当該端末が使用する周波数ブロックとが対応付けられて記憶されることとなる。また、使用されている周波数ブロックのうち、どの周波数ブロックがセル端用周波数ブロックに設定されているかについても記憶される。【００５２】
また、ステップ２にて、端末１０２−１がセル１０１−１の端に存在しないと判断された場合、周波数ブロック割り当て部２０５によって伝播状況の良い周波数ブロックがステップ８にて端末１０２−１に対して割り当てられる。【００５３】
ステップ５、または、ステップ７、または、ステップ８の処理の後、割り当てられた周波数ブロック内でのデータの送信タイミングがステップ９にてスケジューラ２０６によってスケジューリングされる。【００５４】
そして、スケジューラ２０６によってスケジューリングされた送信タイミングが、ステップ１０にて送受信部２０１から端末１０２−１へ通知される。【００５５】
図７は、図６に示したフローチャートのステップ５〜９で説明した周波数ブロックの割り当て及び送信スケジューリングの処理の詳細を説明するための図である。ここでは、説明の便宜上、端末の数は端末０〜７の８台である場合を例に挙げて説明する。【００５６】
まず、端末０がセル端に存在し、ｆ０の周波数ブロックが割り当てられている場合、時間軸ｔ０において、周波数ブロックｆ０がセル端用周波数ブロックとして、周波数ブロック割り当て部２０５によって記憶部２０４に記憶される。【００５７】
その後、周波数ブロックｆ２を使用していた端末２がセル端に移動し、時間軸ｔ２において位置判断部２０３によって端末２がセル端に存在すると判断されると、端末２によって使用される周波数ブロックが、すでにセル端に存在している端末０によって使用されているセル端用周波数ブロックｆ０にホッピングされる。そして、時間軸ｔ３にて、スケジューラ２０６によってセル端周波数ブロックｆ０を使用するようにスケジューリングされる。【００５８】
その後、時間軸ｔ４において、セル端用周波数ブロックｆ０を使用していた端末２がセル端ではない位置、つまり基地局へ近づく方向へ移動してセル端から外れたと位置判断部２０３によって判断されると、周波数ブロック割り当て部２０５によって再度伝播状況の良い周波数ブロックが測定され、その周波数ブロックが割り当てられる。ここでは、周波数ブロックｆ２が割り当てられる。【００５９】
時間軸ｔ５において、セル端用周波数ブロックであるｆ０が空になったら、記憶部２０４に記憶されている「セル端用周波数ブロック＝ｆ０」の情報が周波数ブロック割り当て部２０５によってクリアされる。【００６０】
このように、セル端用周波数ブロックが予め設定された周波数ブロックに固定されること無く、セル端に存在する端末によって使用されている周波数ブロックが可変的にセル端用周波数ブロックとして記憶部２０４に記憶される。【００６１】
以下に、図４に示した移動通信システム内の図５に示した基地局１００−１における他のセル間干渉軽減方法について説明する。【００６２】
図８は、図４に示した移動通信システム内の図５に示した基地局１００−１における他のセル間干渉軽減方法を説明するためのフローチャートである。ここでは、図６にて説明した例と同様に、基地局１００−１が端末１０２−１に対して行うセル間干渉軽減方法を例に挙げて説明する。【００６３】
まず、基地局１００−１の送受信部２０１から端末１０２−１へ送信される伝播遅延測定用信号が、端末１０２−１から戻ってきて送受信部２０１にて受信される。すると、送受信部２０１から伝播遅延測定用信号が送信されてから受信されるまでの時間が、ステップ２１にて伝播遅延測定部２０２において伝播遅延時間として測定される。ここで、伝播遅延時間の測定方法については、伝播遅延時間を測定するための伝播遅延測定用信号を用いて行うと述べたが、端末１０２−１から送信されるPilot信号等の相関計算によってセル１０１−１の中心から端末１０２−１までの距離を測定する方法であっても良い。また、ＧＰＳ等による位置情報に基づいて基地局１００−１から端末１０２−１までの距離を測定する方法であっても良く、本発明を実施するには特に限定しない。【００６４】
伝播遅延測定部２０２にて伝播遅延時間が測定されると、測定された伝播遅延時間に基づいて位置判断部２０３にて端末１０２−１が存在する位置がセル１０１−１の端であるかどうかがステップ２２にて判断される。【００６５】
ステップ２２にて端末１０２−１がセル１０１−１の端に存在すると判断された場合、ステップ２３にて位置認識部２０３において端末１０２−１がセル端のユーザとして記憶部２０４に記憶される。【００６６】
その後、周波数ブロック割り当て部２０５によって、端末１０２−１以外にセル端のユーザが記憶されているかどうか、そして、そのユーザに対してセル端用周波数ブロックが割り当てられているかどうかがステップ２４にて検索される。【００６７】
端末１０２−１以外のユーザにすでにセル端用周波数ブロックが割り当てられている場合、セル端用周波数ブロックを使用している端末のそれぞれの伝送レート等に基づいてスケジューリングが可能かどうかがステップ２５にて周波数ブロック割り当て部２０５によって判断される。【００６８】
スケジューリングが可能と判断された場合、ステップ２６にて周波数ブロック割り当て部２０５によって端末１０２−１に対しても当該セル端用周波数ブロックが割り当てられる。ここで、複数の周波数ブロックがセル端用周波数ブロックとされている場合、その複数のセル端用周波数ブロックの中から伝播状況の良いセル端用周波数ブロックが割り当てられる。【００６９】
一方、ステップ２５にてスケジューリングが不可能と判断された場合は、周波数ブロック割り当て部２０５によってセル端用周波数ブロック以外の周波数ブロックの中から伝播状況の良い周波数ブロックがステップ２７にて端末１０２−１に対して割り当てられる。【００７０】
そして、ステップ２７にて端末１０２−１に割り当てられた周波数ブロックがセル端用周波数ブロックとして、ステップ２８にて周波数ブロック割り当て部２０５によって記憶部２０４に記憶される。【００７１】
また、ステップ２４における検索の結果、端末１０２−１以外のユーザにすでにセル端用周波数ブロックが割り当てられていない場合、ステップ２９にて周波数ブロック割り当て部２０５によって伝播状況の良い周波数ブロックが端末１０２−１に対して割り当てられる。【００７２】
そして、ステップ２９にて端末１０２−１に割り当てられた周波数ブロックがセル端用周波数ブロックとして、ステップ３０にて周波数ブロック割り当て部２０５によって記憶部２０４に記憶される。つまり、記憶部２０４には、端末情報（端末固有の識別番号でよい）と当該端末が存在する位置情報（少なくともセル端にいるかどうかの情報）と当該端末が使用する周波数ブロックとが対応付けられて記憶されることとなる。また、使用されている周波数ブロックのうち、どの周波数ブロックがセル端用周波数ブロックに設定されているかについても記憶される。【００７３】
また、ステップ２２にて端末１０２−１がセル１０１−１の端に存在しないと判断された場合、周波数ブロック割り当て部２０５によって伝播状況の良い周波数ブロックがステップ３１にて端末１０２−１に対して割り当てられる。【００７４】
ステップ２６、または、ステップ２８、または、ステップ３０、または、ステップ３１の処理の後、割り当てられた周波数ブロック内でのデータの送信タイミングがステップ３２にてスケジューラ２０６によってスケジューリングされる。【００７５】
そして、スケジューラ２０６によってスケジューリングされた送信タイミングが、ステップ３３にて送受信部２０１から端末１０２−１へ通知される。【００７６】
図９は、図８に示したフローチャートのステップ２６〜３１で説明した周波数ブロックの割り当て及び送信スケジューリングの処理の詳細を説明するための図である。ここでは、説明の便宜上、端末の数は端末０〜８の９台である場合を例に挙げて説明する。【００７７】
まず、端末０がセル端に存在し、ｆ０の周波数ブロックが割り当てられている場合、時間軸ｔ０において、周波数ブロックｆ０がセル端用周波数ブロックとして、周波数ブロック割り当て部２０５によって記憶部２０４に記憶される。【００７８】
その後、周波数ブロックｆ４を使用していた端末６がセル端に移動すると、時間軸ｔ２において位置判断部２０３によって端末６がセル端に存在すると判断される。しかし、周波数ブロックｆ０の伝送容量が、各端末の所望伝送レートに対して不足する状態である、つまり、スケジューリングが不可能であると判断されると、新たに周波数ブロックｆ４がセル端用周波数ブロックとされ、セル端用周波数ブロックｆ４が周波数ブロック割り当て部２０５によって端末６に割り当てられる。【００７９】
また、時間軸ｔ４において、周波数ブロック割り当て部２０５によって、セル端に存在する端末０にとってセル端用周波数ブロックｆ０よりもセル端用周波数ブロックｆ４の方が伝播状況が良いと判断されると、端末０が使用するセル端用周波数ブロックがセル端用周波数ブロックｆ０からセル端用周波数ブロックｆ４へホッピングされる。【００８０】
このように、セル端用周波数ブロックの伝送容量が不足してスケジューリングが不可能である場合であっても、複数のセル端用周波数ブロックが設定されることにより、セル端に存在する端末の伝送レートを劣化させることは無い。
【図１】
2007097076.tif 000003
【図２】
2007097076.tif 000004
【図３】
2007097076.tif 000005
【図４】
2007097076.tif 000006
【図５】
2007097076.tif 000007
【図６】
2007097076.tif 000008
【図７】
2007097076.tif 000009
【図８】
2007097076.tif 000010
【図９】
2007097076.tif 000011
【国際調査報告】
2007097076.tif 000012
2007097076.tif 000013
2007097076.tif 000014
2007097076.tif 000015